(57)【特許請求の範囲】
【請求項１】
背凭れ支持機構が支持基部に対して揺動可能であるように構成されて背凭れがロッキングする椅子の座において、
前記座は、座受部材と、当該座受部材上に配設されるクッション部材と、当該クッション部材のうちの少なくとも上面及び側面を覆う表皮部材とを有し、前記クッション部材が、下面のうちの平面視における着座者の着座時の臀部位置を含む一部の範囲に形成された撓み促進部を有し、且つ
前記座受部材が、上面形状が扁平であり、
前記撓み促進部が、前記クッション部材の下面のうちの平面視における前後方向の中央位置よりも後方に形成される
ことを特徴とする座。
【請求項２】
前記撓み促進部が、下向き開口の溝であることを特徴とする請求項１記載の座。
【請求項３】
前記溝が、平面視において、長手方向が左右方向に沿う直線状、若しくは、蛇行しつつ左右方向に伸びる波状であることを特徴とする請求項２記載の座。
【請求項４】
前記座受部材が、一枚の板状部材によって構成されることを特徴とする請求項１記載の座。
【請求項５】
前記座受部材の平面視における前記クッション部材の前記撓み促進部の位置に通気口が形成されることを特徴とする請求項１記載の座。
【請求項６】
請求項１から５のうちのいずれか一つに記載の座を備えることを特徴とする背凭れがロッキングする椅子。
【発明の詳細な説明】
【技術分野】
【０００１】
本発明は椅子の座の構造に関する。
【背景技術】
【０００２】
椅子において、従来、臀部に対する座のフィット性が乏しいために着座時の臀部の据わりが悪く、座り心地が悪くなってしまったり、適正な着座姿勢の維持が難儀で着座姿勢が崩れてしまったりするという問題があった。さらに、背凭れを有する椅子において特に、従来、着座者が背凭れに凭れ掛かった際に臀部が前滑りを起こしてしまうという問題があった。
【０００３】
このため、着座者の臀部の前滑りを防止する従来の椅子の座の構造として、図１２に示すように、柔軟性を有するインナーシェル１０１と当該インナーシェル１０１上に配設されたウレタンクッション１０２とを表皮材１０３でくるんだものを剛性を有するアウターシェル１０４の上面に設置して座１００を構成し、剛性を有するアウターシェル１０４を座面における着座者の臀部付近が窪んだ形状に形成すると共に柔軟性を有するインナーシェル１０１をアウターシェル１０４の窪み形状に沿わせることによって前滑り防止の機能を発揮させるようにしたものがある（特許文献１）。なお、図１２において、符号１０５は椅子の脚体の上端に装着される支持基部を表し、符号１０６は背凭れが取り付けられる背支桿を表す。
【先行技術文献】
【特許文献】
【０００４】
【特許文献１】特開２０１４−９０９９１号公報
【発明の概要】
【発明が解決しようとする課題】
【０００５】
しかしながら、特許文献１における椅子の座の構造では、アウターシェル１０４の上面形状を窪ませる必要があり、この窪み形状を形成するためには金型を用いた成形によってアウターシェル１０４を作成する必要があり、したがって金型費用が発生するという問題がある。また、柔軟性を有するインナーシェル１０１も必要であり、アウターシェル１０４に加えてインナーシェル１０１も必要とされることもコストアップに繋がるという問題がある。さらに、インナーシェル１０１及びアウターシェル１０４を特定製品の専用部品とせざるを得ず、汎用性が低いという問題がある。
【０００６】
そこで、本発明は、椅子の座のアウターシェルを構成する部材の金型成形を必要とすることなく、着座時の臀部へのフィット性を向上させると共に臀部の前滑りを防止することができる座及びこの座を備える椅子を提供することを目的とする。
【課題を解決するための手段】
【０００７】
かかる目的を達成するため、本発明は、背凭れ支持機構が支持基部に対して揺動可能であるように構成されて背凭れがロッキングする椅子の座において、前記座は、座受部材と、当該座受部材上に配設されるクッション部材と、当該クッション部材のうちの少なくとも上面及び側面を覆う表皮部材とを有し、クッション部材が、下面のうちの平面視における着座者の着座時の臀部位置を含む一部の範囲に形成された撓み促進部を有し、且つ前記座受部材が、上面形状が扁平であり、前記撓み促進部が、前記クッション部材の下面のうちの平面視における前後方向の中央位置よりも後方に形成されるようにしている。
【０００８】
したがって、この座によると、クッション部材が着座者の臀部位置に撓み促進部を有するようにしているので、クッション部材の臀部位置の部分が他の部分よりも撓み易く凹み易くなって臀部が沈み込むことにより、着座者の臀部の前方へのずれが抑制されて前滑りが防止され、また、着座時の臀部へのフィット性が向上して着座姿勢が安定する。
【０００９】
この座によると、また、撓み促進部の位置や形態などの態様が調整されることにより、着座者の着座位置が適当な箇所（即ち、座面の平面視における前後方向・左右方向の位置）に誘導されると共に座全体としての着座者の臀部支持が適切になって適正な着座姿勢が促されて保持される。
【００１０】
また、座受部材が、上面形状が扁平であるため、クッション部材を受け支える部材である座受部材の上面形状を窪ませる必要がなく、クッション部材を受け支える部材（座受部材）を成形するための金型が必要とされない。
【００１１】
また、撓み促進部が、クッション部材の下面のうちの平面視における前後方向の中央位置よりも後方に形成されるため、着座者の臀部の前方へのずれを抑制することに適切な範囲が撓み易く凹み易い部分とされ、着座者の臀部の前滑りが的確に防止される。
【００１２】
本発明の座は、また、撓み促進部が、下向き開口の溝であるようにしても良い。この場合には、比較的単純で簡易な形状でありながらも着座者の臀部の前方へのずれを抑制して前滑りを防止することに適切な形状として撓み促進部が形成される。
【００１３】
本発明の座は、また、撓み促進部としての溝が、平面視において、長手方向が左右方向に沿う直線状、若しくは、蛇行しつつ左右方向に伸びる波状であるようにしても良い。この場合には、着座者の臀部の前方へのずれが適切に抑制されて前滑りが的確に防止される。
【００１４】
本発明の座は、また、座受部材が、一枚の板状部材によって構成されるようにしても良い。この場合には、座受部材が簡易且つ低廉なものとして構成され、座が、延いては椅子が簡易且つ低廉に製作される。
【００１５】
本発明の座は、また、座受部材の平面視におけるクッション部材の撓み促進部の位置に通気口が形成されるようにしても良い。この場合には、着座によって撓み促進部が押し潰されるように変形する際に撓み促進部内の空気が通気口から排出されるので、空気の自然な流れとして空気の逃げ道が確保されるために撓み促進部内からの空気の流出が妨げられることがなく、したがって撓み促進部の延いてはクッション部材の変形が阻害されることがなく、また、撓み促進部内の空気がクッション部材と座受部材との間を無理に通って排出される際の異音の発生が防止される。
【００１６】
また、本発明は、背凭れがロッキングする椅子において、上述の座を備えるようにしている。この場合には、上述の座の作用が奏される椅子が実現される。
【発明の効果】
【００１８】
本発明の座及びこの座を備える椅子によれば、背凭れのロッキングに合わせて傾動・揺動する上半身の支点になる臀部が座に確りとフィットし、特に背凭れに凭れながら後ろ向きに押すようにして上半身を後傾させる際の臀部の前方へのずれが抑制されて前滑りが防止されて着座姿勢を安定させることができるので、座り心地を良好にして着座の快適性を、延いては椅子利用の快適性を向上させることが可能になる。しかも、インナーシェルとアウターシェルとの二つのシェルを有する構成とすることなく臀部位置の部分のみを撓み易くすることができ、座の構成が簡単でありながらも、また、コストが低廉でありながらも、上記の作用効果を発揮させることが可能になる。
【００１９】
本発明の座及びこの座を備える椅子によれば、また、撓み促進部の態様を調整することによって着座者の着座位置を適当な箇所に誘導すると共に座全体としての着座者の臀部支持を適切にして適正な着座姿勢を促して保持することができるので、良好な座り心地と着座姿勢とを無意識のうちに実現することが可能になる。
【００２０】
また、座受部材の上面形状が扁平とされるため、クッション部材を受け支える部材（座受部材）を成形するための金型が必要とされないことから、座の製作コストを低廉にすることができるので、汎用性の高い座を、延いては椅子を提供することが可能になる。
【００２１】
さらに、撓み促進部が中央位置よりも後方に形成されることで、着座者の臀部の前方へのずれを抑制することに適切な範囲を撓み易く凹み易い部分として着座者の臀部の前滑りを的確に防止することができるので、座り心地を良好にして着座の快適性を、延いては椅子利用の快適性を一層向上させることが可能になる。
【００２２】
本発明の座及びこの座を備える椅子は、撓み促進部が下向き開口の溝であるようにした場合には、比較的単純で簡易な形状でありながらも着座者の臀部の前方へのずれを抑制して前滑りを防止することに適切な形状として撓み促進部を形成することができるので、座としての、延いては椅子としての汎用性を向上させることが可能になる。
【００２３】
本発明の座及びこの座を備える椅子は、撓み促進部としての溝が直線状若しくは波状であるようにした場合には、着座者の臀部の前方へのずれを適切に抑制して前滑りを的確に防止することができるので、座り心地を良好にして着座の快適性を、延いては椅子利用の快適性を一層向上させることが可能になる。
【００２４】
本発明の座及びこの座を備える椅子は、座受部材が一枚の板状部材によって構成されるようにした場合には、座受部材を簡易且つ低廉なものとして構成して座延いては椅子を簡易且つ低廉に製作することができるので、座としての、延いては椅子としての汎用性を一層向上させることが可能になる。
【００２５】
本発明の座及びこの座を備える椅子は、座受部材に通気口が形成されるようにした場合には、撓み促進部内からの空気の流出が妨げられることがないようにしてクッション部材の変形が阻害されることがないようにすることができるので、撓み促進部の滑らかな変形を確保し機能を良好に維持して着座の快適性を、延いては椅子利用の快適性を維持することが可能になり、また、着座によって空気が排出される際の異音の発生を防止することができるので、着座の快適性を、延いては椅子利用の快適性を確保することが可能になる。
【図面の簡単な説明】
【００２７】
【図１】実施形態の椅子の全体構成と共に座の構成を説明する図であり、座を分解した状態の右側面図である。
【図２】実施形態の椅子の全体構成と共に座の構成を説明する図であり、座を分解した状態の斜め前方の上方から見た斜視図である。
【図３】実施形態の椅子の全体構成と共に座の構成を説明する図であり、座を分解した状態の斜め後方の下方から見た斜視図である。
【図４】本発明の座のクッション部材の実施形態の一例を示す底面図である。
【図５】図４のクッション部材を他の視点から見た図である。（Ａ）は右側面の斜め下方から見た斜視図である。（Ｂ）は(Ａ)を前後方向の鉛直面で切断した状態の図である。
【図６】本発明の座のクッション部材の他の実施形態の一例を示す底面図である。
【図７】図６のクッション部材を他の視点から見た図である。（Ａ）は右側面の斜め下方から見た斜視図である。（Ｂ）は(Ａ)を前後方向の鉛直面で切断した状態の図である。
【図８】本発明の座のクッション部材の更に他の実施形態の一例を示す底面図である。
【図９】図８のクッション部材を他の視点から見た図である。（Ａ）は右側面の斜め下方から見た斜視図である。（Ｂ）は(Ａ)を前後方向の鉛直面で切断した状態の図である。
【図１０】本発明の座のクッション部材のまた更に他の実施形態の一例を示す底面図である。
【図１１】図１０のクッション部材を他の視点から見た図である。（Ａ）は右側面の斜め下方から見た斜視図である。（Ｂ）は(Ａ)を前後方向の鉛直面で切断した状態の図である。
【図１２】従来の椅子の座の構造を説明する図であり、座を分解した状態の斜め後方の下方から見た斜視図である。
【発明を実施するための形態】
【００２８】
以下、本発明の構成を図面に示す実施の形態の一例に基づいて詳細に説明する。
【００２９】
図１乃至図５に、本発明の座及びこの座を備える椅子の実施形態の一例を示す。
【００３０】
本実施形態では、図１乃至図３に全体構成を示す椅子に本発明が適用された場合を例に挙げて説明する。
【００３１】
また、本発明の説明においては、椅子の座に座った着座者を基準にして「上」及び「下」，「前」及び「後」，並びに「左」及び「右」を定義する（言い換えると、着座者から見て「上」及び「下」，「前」及び「後」，並びに「左」及び「右」を意味する）。
【００３２】
本実施形態の椅子は、脚羽根タイプの脚ベース１７に立設する脚柱１８の上端部に取り付けられる支持基部１０と、当該支持基部１０に受け支えられる座１と、支持基部１０に設けられる背凭れ支持機構１１と、当該背凭れ支持機構１１に取り付けられて支持される背凭れ１５とを有する。
【００３３】
脚羽根タイプの脚ベース１７は、一体に成形された、脚基部１７ａと、各々の基端部が脚基部１７ａに連接すると共に長手方向が脚基部１７ａを中心とする放射方向に沿うように配設される複数本の脚羽根１７ｂとを有する。
【００３４】
本実施形態では、五本の脚羽根１７ｂが放射状に配設され、各々の先端部の下面にキャスタ１９が備えられる。すなわち、本実施形態の椅子は、所謂回転脚と呼ばれる態様の脚体を備える。ただし、脚羽根１７ｂにキャスタ１９が備えられることは本発明において必須の構成ではなく、さらに言えば、脚体の一部として脚羽根タイプの脚ベース１７を有することは本発明において必須の構成ではない。つまり、本発明が適用され得る椅子の脚体の具体的な形状や態様は、特定のものに限定されるものではなく、椅子の用途やデザインなどを踏まえて適当なものが適宜選択される。
【００３５】
脚ベース１７の中心部の脚基部１７ａに、横断面（言い換えると、平面視）が円形で上下方向の貫通孔が設けられ、当該貫通孔に脚柱１８が嵌め込まれて固定されて取り付けられる。
【００３６】
本実施形態では、シリンダ１８ａと当該シリンダ１８ａに対して昇降可能であるロッド１８ｂとを有するガススプリングを主体として脚柱１８が構成され、脚基部１７ａに設けられた貫通孔にシリンダ１８ａが嵌合して固定されることによって脚ベース１７に対して脚柱１８（即ち、ガススプリング）が固定される。
【００３７】
また、脚柱１８としてのガススプリングのロッド１８ｂの先端部（言い換えると、上端部）に、支持基部１０が装着される。
【００３８】
支持基部１０は、脚柱１８の上端部に装着され、座１を受け支えると共に背凭れ支持機構１１を介して背凭れ１５を支持するものであり、ベース部１０Ａと当該ベース部１０Ａを覆うように被せられる上カバー部１０Ｂとを有する。
【００３９】
ベース部１０Ａの底部には脚柱１８の上端部分（図に示す例では具体的には、ガススプリングのロッド１８ｂの先端部分）を貫通させるための貫通孔が設けられる。
【００４０】
そして、当該貫通孔を貫通してロッド１８ｂの先端部分が支持基部１０内に進入した状態で、ベース部１０Ａがロッド１８ｂの先端部分に固定されて取り付けられることにより、支持基部１０が脚柱１８に装着される。
【００４１】
なお、ガススプリングのロッド１８ｂの先端には、当該ガススプリングのロック及びロック解除を行うための操作ボタンが設けられている。当該操作ボタンは、支持基部１０に対して揺動可能に取り付けられた昇降操作用レバー（図示省略）により、押し込まれたり押し込みが解除されたりするように操作される。そして、昇降操作用レバーが操作されることにより、ガススプリングのロックが解除された状態では支持基部１０と共に座１を昇降させることが可能であり、一方、ガススプリングがロックされた状態では支持基部１０及び座１の高さ位置が固定される。
【００４２】
上カバー部１０Ｂは、天板１０ｃと、当該天板１０ｃの左右両縁部のそれぞれから下向きに延出する左右一対の側壁１０ｄ，１０ｄとを有する。
【００４３】
上カバー部１０Ｂの天板１０ｃには、平面視における前後左右の四隅のそれぞれに、左右側方に向けて延出すると共に上下方向の貫通孔が形成された座板固定部１０ｅが設けられる。
【００４４】
上カバー部１０Ｂの天板１０ｃの下面側には、左右一対の側壁１０ｄ，１０ｄのそれぞれに固定されて、左右一対の固定部材１４，１４が取り付けられる。
【００４５】
左右一対の固定部材１４，１４は、それぞれ、細長板状に形成されて長手方向が前後方向に沿うように配設され、前端部が上カバー部１０Ｂの側壁１０ｄに取り付けられる。
【００４６】
また、これら左右一対の固定部材１４，１４の間に背凭れ支持機構１１が配設され、各固定部材１４の後端部が背凭れ支持機構１１に連結される。
【００４７】
背凭れ支持機構１１は、自身を介して支持基部１０によって背凭れ１５を支持させるためのものであり、比較的厚肉の鋼板などによって形成される背支桿１２と、当該背支桿１２の前端部分と支持基部１０とを連結するための背支桿取付部材１３とを有する。
【００４８】
背支桿１２は、前方へと延出する固定部１２ａと、当該固定部１２ａの後端部と連接して上方へと延出する支持部１２ｂとを有する。この構成により、背支桿１２は、側面視においてＬ字形（或いは、左右逆のＬ字形）に形成される。
【００４９】
背支桿取付部材１３は、平面視において矩形の底板１３ａと、当該底板１３ａの左右両縁部のそれぞれから対向して上向きに延出する左右一対の側壁１３ｂ，１３ｂとを有する。
【００５０】
背支桿取付部材１３の底板１３ａの上面に、背支桿１２のうちの前方へと延出する固定部１２ａが取り付けられる。
【００５１】
また、背支桿１２のうちの上方へと延出する支持部１２ｂに、背凭れ１５が固定されて取り付けられる。
【００５２】
また、背支桿取付部材１３の左右の側壁１３ｂ，１３ｂそれぞれの前端部と支持基部１０のベース部１０Ａの後端部とが左右方向に配設された第一の軸部材によって揺動可能に連結されると共に、上カバー部１０Ｂに取り付けられた左右の固定部材１４，１４それぞれの後端部と背支桿取付部材１３の左右の側壁１３ｂ，１３ｂそれぞれとが左右方向に配設された第二の軸部材によって揺動可能に連結されることにより、背凭れ支持機構１１の背支桿取付部材１３が支持基部１０に対して取り付けられる。
【００５３】
さらに、上カバー部１０Ｂとベース部１０Ａとが左右方向に配設された回動軸を介して連結されてベース部１０Ａに対して上カバー部１０Ｂが揺動可能に取り付けられると共に、上述の第一の軸部材及び第二の軸部材が回動軸として働くように配設される。
【００５４】
以上の構成により、背凭れ支持機構１１が支持基部１０に対して揺動可能であるように構成されて背凭れ１５がロッキング（傾動動作，揺動動作）すると共に、背凭れ支持機構１１及び左右一対の固定部材１４，１４を介して背凭れ１５のロッキングとシンクロして上カバー部１０Ｂと共に座１が傾動するように構成される。
【００５５】
ただし、座１と背凭れ１５とがシンクロしてロッキングすることは本発明において必須の構成ではなく、座１と背凭れ１５とが別々にロッキングするように構成されても良く、また、座１と背凭れ１５とのうちのどちらか一方のみがロッキングするように構成されも良く、さらに言えば、座１も背凭れ１５もロッキングしないように構成されても良い。
【００５６】
なお、座１と背凭れ１５とをシンクロさせてロッキングさせる場合の仕組み（具体的な構造）は、上述の仕組みに限定されるものではなく、他の仕組みが用いられるようにしても良い。また、座１と背凭れ１５とを別々にロッキングさせる場合やどちらか一方のみをロッキングさせる場合の仕組みは、特定の仕組みに限定されるものではなく、適当なものが適宜選択される。
【００５７】
一方、座１は、座受部材７と、当該座受部材７上に配設されるクッション部材２と、当該クッション部材２のうちの少なくとも上面及び側面を覆う表皮部材８とを有し、クッション部材２が、下面２ａのうちの平面視における着座者の着座時の臀部位置を含む一部の範囲に形成された撓み促進部３を有するようにしている。
【００５８】
座受部材７は、支持基部１０の上カバー部１０Ｂ上に配置され、自身の上面側に配設されるクッション部材２を受け支えるものである。
【００５９】
座受部材７は、ビスなどの締結具・接合具によって上カバー部１０Ｂの座板固定部１０ｅに対して取り付けられ、これにより、支持基部１０に対して固定されて取り付けられる。
【００６０】
座受部材７の形状は、上面側についてはクッション部材２を受支える部位を少なくとも有し、下面側については支持基部１０へと取り付けられる部位を少なくとも有していれば、特定の形状には限定されない。
【００６１】
そして、本発明では、座受部材７の上面形状がたとえ窪んでいなくても、言い換えるとたとえ扁平であっても、クッション部材２の撓み促進部３の働きにより、着座時の臀部へのフィット性を向上させると共に臀部の前滑りを防止することができる。
【００６２】
座受部材７の上面形状に関する扁平には、完全に扁平（即ち、全面に亙って完全に平らな面）である状態が含まれることは無論であるものの、完全に扁平である状態に限定されるものではなく、概ね扁平である状態も含まれる。
【００６３】
そして、本発明において座受部材７の上面形状が「概ね扁平である状態」には、前後方向と左右方向とのうちのどちらか一方において中央部から縁部に向けて漸次（言い換えると、単調に）上昇する若しくは下降する（言い換えると、湾曲する）形状を含み、具体的には以下の形態が挙げられる。
【００６４】
ｉ）  前後方向においては湾曲することなく直線的であり、左右方向においては左右中央部から左右両側縁部に向けて漸次上昇して上向きに反ることによって湾曲する形状である。
ii）  前後方向においては湾曲することなく直線的であり、左右方向においては左右中央部から左右両側縁部に向けて漸次下降して下向きに反ることによって湾曲する形状である。
iii） 左右方向においては湾曲することなく直線的であり、前後方向においては前後中央部から前後両側縁部に向けて漸次上昇して上向きに反ることによって湾曲する形状である。
iv）  左右方向においては湾曲することなく直線的であり、前後方向においては前後中央部から前後両側縁部に向けて漸次下降して下向きに反ることによって湾曲する形状である。
【００６５】
また、座受部材７の前縁部分が着座者の大腿部の裏側への当たりの強さを軽減するように下向きに反っている（言い換えると、下垂する）形態や、座受部材７の縁部がクッション部材２と嵌合するように上向きに突出する凸部を有している形態も、本発明において座受部材７の上面形状が「概ね扁平である状態」に含まれる。
【００６６】
例えば、図に示す例では、座受部材７の上面は、左右方向においては左右中央部から左右両側縁部に向けて漸次上昇して上向きに反ることによって湾曲する形状であるものの、前後方向においては例えば着座時の着座者の臀部位置の部分が他の部分よりも凹んではおらず直線的である。したがって、図に示す例の座受部材７の上面形状は、本発明における扁平の要件を満たす。
【００６７】
座受部材７の材質は、特定の種類に限定されるものではなく、例えば用途などが考慮されて必要とされる強度などが勘案された上で、適当なものが適宜選択される。すなわち、本発明は、座受部材７の材質に制約を受けることなく適用され得る。
【００６８】
なお、座受部材７は、例えば上面形状が完全に扁平であるようにする場合などには、一枚の単なる平板（合板を含む）によって構成されるようにしても良い。
【００６９】
クッション部材２は、弾性部材によって形成され、座受部材７上に配設される。なお、クッション部材２は、当該クッション部材２と座受部材７との間に他の部品や部材を介在させることなく、座受部材７の上面に直接設置される。
【００７０】
クッション部材２の材質は、弾性を有すると共に任意の形状に形成可能なものであれば、特定の種類に限定されるものではなく、例えば発揮される弾性力や形成加工の容易性などが勘案された上で、適当なものが適宜選択される。具体的には例えば、クッション部材２の材質として、ウレタン（なお、モールドウレタンとスラブウレタンとのどちらでも良い）が選択され得る。
【００７１】
クッション部材２の撓み促進部３は、クッション部材２の特定の部分を他の部分よりも撓み易くするためのものであり、着座者の臀部を沈み込ませて臀部の前方へのずれを防止するように、クッション部材２の下面２ａのうちの、平面視における、座１に着座した際の臀部位置を含む範囲に設けられる。
【００７２】
撓み促進部３としての具体的な構造は、当該部分が他の部分よりも撓み易くなるものであれば、特定の構成・態様に限定されるものではなく、種々の構成・態様が適宜選択される。
【００７３】
例えば、クッション部材２の下面２ａに凹凸が設けられて撓み促進部３に該当する範囲が他の部分よりも空間（言い換えると、空洞，空隙）が多く設けられることによって撓み促進部３としての部分が他の部分よりも撓み易く構成されるようにしても良く、或いは、クッション部材２の下縁部分のうちの撓み促進部３に該当する範囲が他の部分よりも撓み易い材質（言い換えると、柔らかい材質）によって構成されることによって撓み促進部３としての部分が他の部分よりも撓み易く構成されるようにしても良い。
【００７４】
また、撓み促進部３の範囲は、座１の平面視における特定の範囲に限定されるものではなく、座１全体の形状や想定される使用態様などが勘案された上で、着座時の着座者の臀部の位置を踏まえて当該臀部を沈み込ませて前方へのずれを抑制するのに適切な範囲が適宜設定される。
【００７５】
具体的には例えば、撓み促進部３の範囲は、クッション部材２の下面２ａのうちの平面視における前後方向の中央位置よりも後方の範囲に設定される。この場合には、クッション部材２の下面２ａのうちの前後中央位置より後方のみに撓み促進部３としての空間（空洞，空隙）が形成されるようにしたり、前後中央位置より前方と比べて前後中央位置より後方に一層多くの空間が形成されるようにしたりする。
【００７６】
撓み促進部３として、クッション部材２の下面２ａのうちの平面視における前後方向の中央位置よりも後方の範囲のみに凹凸が設けられる場合には、具体的には例えば、図４及び図５に示すように、直線状の溝４が形成されるようにしても良い。
【００７７】
図４及び図５に示す例では、クッション部材２の下面２ａのうちの平面視における前後方向の中央位置よりも後方の範囲のみに、各々の長手方向が左右方向に沿う六つ（六本）の直線状の溝４が前後方向に並ぶように形成されることにより、撓み促進部３が構成される。
【００７８】
なお、撓み促進部３としては、各々の長手方向が前後方向に沿う複数の直線状の溝が左右方向に並べられて形成されるようにしても良く、また、長手方向が左右方向若しくは前後方向に沿う直線状の溝が一つ（一本）のみ形成されるようにしても良い。付け加えると、複数の直線状の溝が形成される場合、溝それぞれの深さは同じであるようにしても良く、或いは、異なるようにしても良い。
【００７９】
撓み促進部３として、クッション部材２の下面２ａのうちの平面視における前後方向の中央位置よりも後方の範囲のみに凹凸が設けられる場合には、また、図６及び図７に示すように、波状の溝５が形成されるようにしても良い。
【００８０】
図６及び図７に示す例では、クッション部材２の下面２ａのうちの平面視における前後方向の中央位置よりも後方の範囲のみに、各々が蛇行しつつ左右方向に伸びる（言い換えると、各々の長手方向が左右方向に沿う）三つ（三本）の波状の溝５が前後方向に並ぶように形成されることにより、撓み促進部３が構成される。
【００８１】
なお、撓み促進部３としては、各々が蛇行しつつ前後方向に伸びる（言い換えると、各々の長手方向が前後方向に沿う）複数の波状の溝が左右方向に並べられて形成されるようにしても良く、また、蛇行しつつ左右方向若しくは前後方向に伸びる波状の溝が一つ（一本）のみ形成されるようにしても良い。付け加えると、複数の波状の溝が形成される場合、溝それぞれの深さは同じであるようにしても良く、或いは、異なるようにしても良い。
【００８２】
撓み促進部３として、クッション部材２の下面２ａのうちの平面視における前後方向の中央位置よりも後方の範囲のみに凹凸が設けられる場合には、さらに、図８及び図９に示すように、大腿部の付け根部分を含む臀部の輪郭を模した形状（具体的には、概ね、前向きの凹字形）の溝６が形成されるようにしても良い。
【００８３】
図８及び図９に示す例では、クッション部材２の下面２ａのうちの平面視における前後方向の中央位置よりも後方の範囲のみに、各々が概ね前向きの凹字形である三つの溝６Ａ，６Ｂ，６Ｃが形成される。具体的には、撓み促進部３が、内側の凹字形の溝６Ａの外周を中央の凹字形の溝６Ｂが取り囲むと共に当該中央の凹字形の溝６Ｂの外周を外側の凹字形の溝６Ｃが取り囲むことにより、三重の溝が形成されることによって構成される。
【００８４】
図８及び図９に示す例では、また、外側の凹字形の溝６Ｃよりも中央の凹字形の溝６Ｂの方が深い溝として形成されると共に、中央の凹字形の溝６Ｂよりも内側の凹字形の溝６Ａの方が深い溝として形成される。したがって、着座時の臀部の外側(外周)部分から内側(中央)部分に向けて次第に一層撓み易くなるように撓み促進部３が形成され、これにより、着座時のクッション部材２の臀部へのフィット性が向上して着座姿勢が安定する。ただし、溝６Ａ，６Ｂ，６Ｃそれぞれの深さは同じであるようにしても良い。
【００８５】
なお、撓み促進部３としては、概ね前向きの凹字形の溝が一つのみ（一重に）形成されるようにしても良い。
【００８６】
撓み促進部３としての凹凸として、あるいは、クッション部材２の下面２ａに、半球体状若しくは錐体状の凹部が形成されるようにしても良く、または、半球体状若しくは錐体状の凸部が形成される（言い換えると、半球体状若しくは錐体状の凸部が残るように連接する凹部が形成される）ようにしても良い。
【００８７】
図１０及び図１１に示す例では、クッション部材２の下面２ａのうちの平面視における前後方向の中央部分から後方の範囲にかけて、各々が半球体状の凹部９が複数形成されることにより、撓み促進部３が構成される。
【００８８】
なお、図１０及び図１１に示す例では前後方向９列・左右方向５行に並べられた合計４５個の半球体状の凹部９が中心位置等間隔に配置されるようにしているが、撓み促進部３としての半球体状の凹部９の個数や配置態様は図１０及び図１１に示すものには限られない。
【００８９】
図１０及び図１１に示す例では、また、半球体状の凹部９の大きさ・深さ（即ち、球体としての半径）が外側部分から中央部分に向けて次第に大きく・深くなるように形成される。具体的には、角部の半球体状の凹部９Ｄよりも左右外側前後方向中央位置の半球体状の凹部９Ｂや前後外側左右方向中央位置の半球体状の凹部９Ｃの方が大きい・深い凹部として形成されると共に、これら半球体状の凹部９Ｂ，９Ｃよりも前後左右中央位置の半球体状の凹部９Ａの方が大きい・深い凹部として形成される。したがって、着座時の臀部の外側(外周)部分から内側(中央)部分に向けて次第に一層撓み易くなるように撓み促進部３が形成され、これにより、着座時のクッション部材２の臀部へのフィット性が向上して着座姿勢が安定する。ただし、半球体状の凹部９（９Ａ，９Ｂ，９Ｃ，９Ｄ）それぞれの大きさ・深さは同じであるようにしても良い。
【００９０】
なお、図４及び図５に示すような直線状の溝４，図６及び図７に示すような波状の溝５，図８及び図９に示すような凹字形の溝６（６Ａ，６Ｂ，６Ｃ）、並びに図１０及び図１１に示すような半球体状の凹部９（９Ａ，９Ｂ，９Ｃ，９Ｄ）又は半球体状の凸部や錐体状の凹部若しくは凸部のうちの二つ以上の態様の溝や凹部，凸部が組み合わされて用いられるようにしても良い。
【００９１】
また、例えば図４乃至図９に示す例における種々の溝４，５，６のような凹凸や図１０及び図１１に示す例における凹部９のような半球体状若しくは錐体状の凹凸などがクッション部材２の下面２ａに設けられる場合の凹部（例えば、溝４，５，６、或いは、半球体状の凹部９又は錐体状の凹部や、半球体状若しくは錐体状の凸部の周囲の凹部）の深さは、特定の値に限定されるものではなく、例えばクッション部材２の柔らかさや撓み促進部３として発現させたい撓み易さなどが勘案された上で、適当な値に適宜設定される。ただし、凹部が形成された部分におけるクッション部材２の残りの厚さが概ね４５ ｍｍ 以上であることが好ましく、具体的には例えば溝などの凹部の深さが８〜１２ ｍｍ 且つ当該凹部の位置におけるクッション部材２の残りの厚さが４５ ｍｍ 程度に設定される（したがって、クッション部材２の全体の厚さは５３〜５７ ｍｍ 程度である）ことは好ましい例の一つである。
【００９２】
ここで、クッション部材２が上面側に配設される座受部材７に通気口（図示省略）が設けられるようにしても良い。
【００９３】
通気口は、座受部材７のうちの、平面視におけるクッション部材２の撓み促進部３の範囲に対応する領域に、座受部材７を上下方向に貫通する孔として形成される。特に、撓み促進部３としてクッション部材２の下面２ａに凹凸が設けられる場合には、平面視における凹部の位置に、言い換えると、凹部と連通するように、座受部材７を貫通する孔が通気口として形成される。
【００９４】
具体的には例えば、図４及び図５に示す例の場合には、クッション部材２の下面２ａに設けられる凹部としての直線状の溝４のそれぞれに対応させて、平面視における各溝４の位置に、言い換えると、各溝４と連通するように、座受部材７を貫通する孔が通気口として形成される。
【００９５】
座受部材７に通気口が形成されることにより、着座によって撓み促進部３が押し潰されるように変形する際に撓み促進部３内（図４乃至図１１に示す例では、溝４内，溝５内，溝６内，或いは凹部９内）の空気が通気口から排出されるので、空気の自然な流れとして空気の逃げ道が確保されるために撓み促進部３内からの空気の流出が妨げられることがなく、したがって撓み促進部３の、延いてはクッション部材２の変形が阻害されることがない。このため、撓み促進部３を含むクッション部材２の滑らかな変形が確保され、他の部分よりも撓み易いという撓み促進部３の機能が良好に維持される。
【００９６】
座受部材７に通気口が形成されることにより、さらに、着座によって撓み促進部３が押し潰されるように変形する際に撓み促進部３内の空気が通気口から排出されるので、空気の自然な流れとして空気の逃げ道が確保されるため、撓み促進部３内の空気がクッション部材２と座受部材７との間（なお、両者は面接触していることが想定される）を無理に通って排出される際の異音の発生が防止され、したがって着座時の異音の発生が防止される。
【００９７】
表皮部材８は、クッション部材２を包(くる)んで覆うものであり、クッション部材２のうちの少なくとも上面及び側面を覆うものであれば良い。
【００９８】
表皮部材８は、また、クッション部材２が上面に載置されている座受部材７の一部（具体的には例えば、周縁部分）も一緒に包むようにしても良い。しかしながら、表皮部材８によって座受部材７の一部も一緒に包まれるようにすることは本発明において必須の構成ではなく、クッション部材２のみが表皮部材８によって包まれ、座受部材７は表皮部材８によっては包まれないようにしても良い。
【００９９】
表皮部材８は、図に示す例では、クッション部材２（及び座受部材７）の形状に合わせて袋状に形成されると共に、下面側（即ち、座１としての組み立て状態において座受部材７側）に開口部が設けられる。
【０１００】
そして、表皮部材８は、下面側の開口部からクッション部材２（及び座受部材７の周縁部）を内側に取り込むようにしつつこれらクッション部材２（及び座受部材７の周縁部）に被せられて取り付けられる。
【０１０１】
なお、表皮部材８の材質は、特定の種類に限定されるものではなく、例えば用途などが考慮されて必要とされる強度などが勘案された上で、適当なものが適宜選択される。すなわち、本発明は、表皮部材８の材質に制約を受けることなく適用され得る。
【０１０２】
以上の構成を備える座１及びこの座１を備える椅子によれば、クッション部材２が着座者の臀部位置に撓み促進部３を有するようにしているので、クッション部材２の臀部位置の部分が他の部分よりも撓み易く凹み易くなって臀部が沈み込むことにより、着座者の臀部の前方へのずれを抑制して前滑りを防止することができ、また、着座時の臀部へのフィット性を向上させて着座姿勢を安定させることができ、座り心地を良好にして着座の快適性を、延いては椅子利用の快適性を向上させることが可能になる。しかも、インナーシェルとアウターシェルとの二つのシェルを有する構成とすることなく臀部位置の部分のみを撓み易くすることができ、座の構成が簡単でありながらも、また、コストが低廉でありながらも、上記の作用効果を発揮させることが可能になる。
【０１０３】
以上の構成を備える座１及びこの座１を備える椅子によれば、また、撓み促進部３の態様を調整することによって着座者の着座位置を適当な箇所に誘導すると共に座全体としての着座者の臀部支持を適切にして適正な着座姿勢を促して保持することができるので、良好な座り心地と着座姿勢とを無意識のうちに実現することが可能になる。
【０１０４】
以上の構成を備える座１及びこの座１を備える椅子によれば、また、上面形状が扁平である座受部材７が用いられるようにしているので、クッション部材２を受け支える部材である座受部材７の上面形状を窪ませる必要がなく、したがってクッション部材２を受け支える部材（座受部材７）を成形するための金型が必要とされないため、金型作成費用が発生しないので座の製作コストを低廉にすることができ、汎用性の高い座を、延いては椅子を提供することが可能になる。
【０１０５】
なお、上述の実施形態は本発明を実施する際の好適な形態の一例ではあるものの本発明の実施の形態が上述のものに限定されるものではなく、本発明の要旨を逸脱しない範囲において本発明は種々変形実施可能である。
【０１０６】
例えば、上述の実施形態では図１乃至図３に全体構成を示す椅子に本発明が適用されるようにしているが、本発明が適用され得る椅子の各構成部材の具体的な形状や態様は、上述の実施形態におけるものに限定されるものではなく、椅子の用途やデザインなどを踏まえて適当なものが適宜選択される。具体的には、クッション部材２を含む座１が取り付けられて固定される構成、即ち上述の実施形態における支持基部１０に相当する構成を少なくとも備えるものであれば、椅子の態様や各構成部材の形状等はどのようなものであっても構わない。
【符号の説明】
【０１０７】
１    座
２    クッション部材
２ａ  下面
３    撓み促進部
４    直線状の溝
５    波状の溝
６（６Ａ，６Ｂ，６Ｃ）  凹字形の溝
７    座受部材
８    表皮部材
９（９Ａ，９Ｂ，９Ｃ，９Ｄ）  半球体状の凹部
１０    支持基部
１０Ａ  ベース部
１０Ｂ  上カバー部
１０ｃ  天板
１０ｄ  側壁
１０ｅ  座板固定部
１１    背凭れ支持機構
１２    背支桿
１２ａ  固定部
１２ｂ  支持部
１３    背支桿取付部材
１３ａ  底板
１３ｂ  側壁
１４    固定部材
１５    背凭れ
１７    脚ベース
１７ａ  脚基部
１７ｂ  脚羽根
１８    脚柱
１８ａ  シリンダ
１８ｂ  ロッド
１９    キャスタ
【図１】
0006755657.tif 000002
【図２】
0006755657.tif 000003
【図３】
0006755657.tif 000004
【図４】
0006755657.tif 000005
【図５】
0006755657.tif 000006
【図６】
0006755657.tif 000007
【図７】
0006755657.tif 000008
【図８】
0006755657.tif 000009
【図９】
0006755657.tif 000010
【図１０】
0006755657.tif 000011
【図１１】
0006755657.tif 000012
【図１２】
0006755657.tif 000013